(57)【要約】  本発明はラピッドフォールディングドアに関する。本発明に係るドアは、各々がスライドを包含する２個の垂直な縦枠（２）；該２個の垂直な縦枠（２）の頂部に配置される巻上げシャフト；及び柔軟なスクリーン（６）を有する。この柔軟なスクリーンは、（ｉ）巻上げシャフトと少なくとも１個のストラップ（１１）によって結合された下方のバー（１０）と、（ｉｉ）少なくとも１個の補強バーとを備えている。本発明では前記スクリーン（６）の幅は各縦枠（２）の内側の面（２ａ）を隔てる距離よりも小さい。また、少なくとも１個の補強バー（９）の端部は、各縦枠（２）内に設けられたスライドに取り付けられ案内されている。前記スクリーン（６）は、該スクリーンが縦枠（２）と巻上げシャフトで画定される仕切平面内で使用される閉鎖位置；及び各ストラップ（１１）をシャフト上に巻き上げることにより該シャッターが前記仕切平面の一方の側に少なくとも１個の折り目を形成することにより折られる開放位置のいずれかを占める。さらに、前記スクリーン（６）の折り目を有するのと反対側の側部において、少なくとも１個の縦枠（２）がスクリーン（６）と当接する弾力あるシーリング手段を備えている。
2007530839.tif 000002
【特許請求の範囲】
【請求項１】
次の各部分
・各々がスライドを包含する２個の垂直な縦枠（２）と、
・該２個の縦枠（２）の頂部に配置される巻上げ可能なシャフトと、
・少なくとも１個のストラップ（１１）によって該巻上げシャフトと結合された下方のバー（１０）と少なくとも１個の補強バーとを備えている柔軟なシャッター（６）
とを有するフォールディングドアであって、前記シャッター（６）の幅は各縦枠（２）の内側の面（２ａ）を隔てる距離よりも小さいこと、及び少なくとも１個の補強バー（９）の端部が各縦枠（２）の中に設けられたスライドに取り付けられ案内されていて、前記シャッター（６）が、該シャッターが縦枠（２）と巻上げシャフトで画定される仕切平面内で使用される閉鎖位置と、各ストラップ（１１）をシャフト上に巻き上げることにより該シャッター（６）が前記仕切平面の一方の側に少なくとも１個の折り目を形成することにより折られる開放位置とのいずれかをとることができること、及び少なくとも１個の縦枠（２）が、前記折り目が形成されるのと反対側のシャッター'（６）の側部において、シャッター（６）と当接する弾力あるシーリング手段を備えていることを特徴とするフォールディングドア。
【請求項２】
少なくとも１個の縦枠がスライド（１７）を形成する２個のフランジ（１６）を有し、折り目が形成されるのと反対側の側部に位置するフランジに、シーリングプロファイル（１８）が取り付けられていることを特徴とする請求項１記載のドア。
【請求項３】
前記シーリングプロファイル（１８）が、一方の縦枠（２）を押圧するように設計された堅固な基部と、シャッターと当接するように設計された柔軟なリップ（１９）を有することを特徴とする請求項２記載のドア。
【請求項４】
前記柔軟なリップ（１９）がらせん形の断面を有することを特徴とする請求項３記載のドア。
【請求項５】
前記基部が、縦枠（２）のフランジ（１６）の２個の面に接する２個のほぼ垂直な平板部（２０、２１）を有することを特徴とする請求項３または４記載のドア。
【請求項６】
各補強バー（９）が、その各端部において、前記スライドの２個のフランジ（１６）の間を走行するローラー（１５）を有することを特徴とする請求項１ないし５のいずれか１項記載のドア。
【請求項７】
前記縦枠の少なくとも１個が２個のフランジを有し、折り目の形成されるのと反対側の側部に位置するフランジがシャッターのための支持面を形成する延出部を有し、この延出部が弾力を有する材料の同時押出し、同時モールディング又は同時連続式引抜成型により作成されることを特徴とする請求項１または２記載のドア。
【請求項８】
前記延出部が弾性的に変形可能な形状を有することを特徴とする請求項７記載のドア。
【請求項９】
前記スライドを包含する縦枠（２）が垂直であることを特徴とする請求項１ないし８のいずれか１項に記載のドア。
【請求項１０】
前記スライドを包含する縦枠（２）が垂直以外の方向に向いていることを特徴とする請求項１ないし８のいずれか１項に記載のドア。
【発明の詳細な説明】
【技術分野】
【０００１】
本発明はラピッドフォールディングドアに関する。
【背景技術】
【０００２】
建物の外壁に形成される空洞を締め切るために、空洞の上框に沿って折れ曲がる柔軟なシャッターを使用することができる。
【０００３】
従来、このようなドアは鴨居材（無目）によって頂部を結合された２個の縦材と、各縦材の側部に挿入された横方向のバーで補強されているシャッターを有している。
【０００４】
このシャッターはストラップを使用して折り曲げられる。ストラップは通常２個であり、一方の端部がシャッターの最下部に位置するバーに結合されており、他方の端部はドアの鴨居材（無目）に設置されたシャフトに固定されている。モーターが前記ストラップの巻きつけられるシャフトの回転を制御し、鴨居材（無目）の下側にドアを折り曲げる。
【０００５】
この種のドアの好ましい適用例は、建物の外側に対するアクセスを提供する凹部を締め切るための使用である。というのはこの種のドアは風に対して優秀な抵抗性を有するからである。詳細には、これらのバーは巻き上げドアの場合のようにシャフトに巻き上げられる必要がないから大きい径の補強バーを備えることができる。
【発明の開示】
【発明が解決しようとする課題】
【０００６】
しかし、この種のドアには完全に満足できない点もある。シャッターの側部の縁が結合される縦枠は、一般に２個のフランジを有するＣ字型断面で形成され、この２個のフランジの間に前記シャッターの折り目が収納される。このシャッターは、引き上げられた位置において相当の体積を占める折り目を形成するので、２個のフランジを隔てる距離は大きくなければならず、通常３００ｍｍから６００ｍｍの間の大きさとなる。そうすると縦枠の占める床面積は、敷地の限られる一定の場所では不適当なまでの大きさとなる。
【０００７】
また、シャッターの垂直の縁と縦枠の間のシーリングの問題も生じうる。
【０００８】
本発明の一つの目的は、床面積の小さい縦枠を使用し、かつシャッターと縦枠の間に良いシーリングを提供できるフォールディングドアを提案することである。
【課題を解決するための手段】
【０００９】
本発明は、従来知られた技術を使用して次のものを含んでなる。
・各々がスライドを包含する２個の縦枠
・２個の縦枠の頂部に位置する巻上げシャフト
・少なくとも１個のストラップと少なくとも１個の補強バーによって巻き上げシャフトに結合された下側のバーを有する柔軟なシャッター
【００１０】
本発明によれば、シャッターの幅は各縦枠の内側の面を隔てる距離よりも小さく、また少なくとも１個の補強バーの端部は各縦枠内に設けられたスライドに取り付けられ案内されて、シャッターが、縦枠と巻上げシャフトで画定される仕切平面内において使用される閉鎖位置と、各ストラップをシャフト上に巻き上げることにより該シャッターが前記仕切平面の一方の側に少なくとも１個の折り目を形成することにより折られる開放位置とのいずれかをとることができ、また少なくとも１個の縦枠が、シャッターの折り目が形成されるのと反対側の側部において、シャッターと当接する弾力あるシーリング手段を有する。
【００１１】
本発明の基本的なアイデアは、従来のドアのように縦枠の内側に折り目を形成せず、それらの外側に折り目を形成することにより、スライドが補強バーの端部のみを受容する大きさとなるようなコンパクトな縦枠を使用できるようにすることである。このことはシャッターの幅を縦枠の内側の面、すなわちドアの通路の幅を限定する縦枠の面によって限定される間隔よりも小さくすることによって可能となる。
【００１２】
しかし、各縦枠とシャッターの側部の縁との間に依然としてギャップがあることが問題となる。これらのギャップが存在するということは、この種のドアの側部のシーリングが極めて大雑把であって、ドアの熱及び音に関するシーリングが全く欠如し、ドアが締め切るべき空間にほこりが入りうることを意味している。
【００１３】
そこで本発明は少なくとも１個の縦枠が、シャッターの折り目が形成されるのと反対側の側部において、シャッターと当接する弾力を有するシーリング手段を有することを特徴とする。
【００１４】
このように構成されたドアは、コンパクトな縦枠とシーリングの確保という長所を兼ね備えている。弾力を有するシーリング手段は、ドアの折り曲げには干渉しないが、ドアが使用されている間の確実なシーリングを確保する。
【００１５】
シーリング手段の弾力性は絶対的に不可欠である。というのはシャッターは各補強バーにおいて張出部を有するから、シーリング手段はこの張出部に適合しなければ現実にシーリングを確保することができないからである。
【００１６】
実際には、一方の縦枠はスライドを形成する２個のフランジを有しており、折り目が形成されるのと反対側の側部に位置するフランジにシーリングプロファイルが取り付けられる。
【００１７】
プロファイルの一つの実施例に従えば、このシーリングプロファイルは縦枠を押圧するように設計された堅固な基部と、シャッターに当接するように設計された柔軟なリップを有する。
【００１８】
好ましくは、この柔軟なリップはらせん形の断面を有する。この構成はシーリングに極めて好適であることがわかった。というのはらせん形のリップは補強バーによって形成される張出部と接触している間は圧縮され、他方２個の補強バーの間のシャッターの表面とも接触を保つからである。
【００１９】
プロファイルの他の側面に従うと、基部は縦枠のフランジの２個の面に接する２個のほぼ垂直な平板部を有する。
【００２０】
また、各補強バーは、各端部にスライドの２個のフランジの間を走行するローラーを有する。
【００２１】
シーリング手段の一つの実施例に従えば、少なくとも１個の縦枠が２個のフランジを有し、折り目が形成されるのと反対側の側部に位置しているフランジがシャッターの支持面を形成するための延出部を有する。
【００２２】
また、この延長部は同時押出し、同時モールディング又は同時連続式引抜成型により作成することができる。
【００２３】
他の可能な実施例に従えば、この延長部は弾性的に変形可能な形状を有する。
【００２４】
ドアが取り付けられる空間の輪郭に従って、スライドを包含する縦枠が垂直である場合や、スライドを包含する縦枠が垂直以外の方向を向いている場合がある。
【発明を実施するための最良の形態】
【００２５】
本発明を明確に理解できるよう、本発明に係るドアの実施例の非限定的な一例を示す添付図面を参照しつつ説明する。
【００２６】
図１は、本発明に係るフォールディングドアの斜視図である。
図２はこのドアの一方の縦枠の図であり、一部においてシーリングプロファイル及び柔軟なシャッターを横切る断面を示している。
図３は図１のIII−IIIにおける断面図である。
【００２７】
本発明に係るフォールディングドアは、ドアが閉鎖された姿勢で図１に示されている。外壁又は間仕切壁の空洞を締め切るように設計されたドアは２個の垂直な縦枠２を有する。これらの縦枠の上端はシャフトを保護する横方向のケーシングによって結合されている。このシャフトは電動モータにより回転させることもできる。電動モータは側部カバー４により保護される。
【００２８】
縦枠２の内側の面２ａと横方向のケーシング３により画定される平面は柔軟なシャッター６により締め切られる。このシャッターの幅は縦枠２の内側の面２ａを隔てる間隔よりも少し小さい。この柔軟なシャッター６は結合部にガセット８を有する数個の水平方向のストリップからなる。
【００２９】
図２からわかるように、これらのガセット８には筒状の補強バー９が挿入されている。「フォールディング」ドアの特別の特徴は、それらが縦枠と平行に方向づけられたストラップ１１を有し、これらのストラップ１１が一方で巻上げシャフトに連結されており、他方で下方のバー１０に連結されていることにある。
【００３０】
図１からわかるように、ストラップと各横方向のバー９の交差部において、シャッター８はガイドストラップ１３を有し、その中をストラップ１１が通る。
【００３１】
従って、巻上げシャフトが回転すると、ストラップ１１がその上に巻き上がり、下方のバー９を上昇させる。
【００３２】
巻上げシャフトに向かって上昇するとき、下方のバー１０はその上方に位置する各補強バー９と次々に会合し、シャッター６の全体を上昇させる。巻上げシャフトが回転を終えると、前期シャッターはドアの上部で横方向のケーシング３の直下に折り曲げられる。
【００３３】
折り曲げられた位置において、このシャッターは折り目を形成するが、その形成は形状記憶折曲げ手段又は補強バー９と交互に設けられる自由バーにより助長される。
【００３４】
図３からわかるように、各補強バー９は、その端部において、縦枠２上に形成された２個のフランジ１６により限定されているスライド１７に挿入されたローラー１５を有する。これらのローラー１５はシャッター及び補強バー９が被る外力を支持する。
【００３５】
そこで注目すべきことは、前記シャッター６にシャッターを持ち上げるための折り目（図３に鎖線で示される）が形成されるため、縦枠の２個のフランジ１６により限定されているスライドの外部に折り目が形成され、シーリング上の問題を生じることである。
【００３６】
言いかえれば、シャッター６の側部の縁とそれに面する縦枠２との間にはギャップがある。このギャップがドアの横方向のシーリングを悪化させるとドアの満足な機能が著しく妨げられる。
【００３７】
そこで、各図に示されるように、本発明のドアは、シャッターの折り目が形成されるのと反対の側に位置する各縦枠のフランジ１６上に設置されたシーリングプロファイル１８を備えている。図３に示されるように、このシーリングプロファイル１８は２個の部分を有する。一方は縦枠のフランジに接する基部であり、他方はシャッターの表面に当接するリップ１９である。
【００３８】
この基部はほぼ垂直な２個の平板部２０、２１を有し、これらは良好な剛性を確保するため非常に厚くなっている。
【００３９】
リップ１９はらせん状の断面を有する。このらせん形状はプロファイル１８によって良好なシーリングを確保するためには絶対的に不可欠である。具体的には、このらせん形状のおかげで、プロファイル１８は一方でシャッター６の表面をシールし、他方で補強バー９により形成された張出部との交叉部において圧縮される。このことは補強バー９の位置において圧縮されたシーリングプロファイルを明確に示す図２から明らかに理解される。
【００４０】
またプロファイル１８は縦枠２に接着剤により接着することもできる。
【００４１】
このシーリングプロファイルに関して強調されるべき他の重要な点は、それが耐磨耗性の高い材料から作成されることである。耐磨耗性の材料はスライドを助長するのでシャッターを損傷しない。
【００４２】
本発明はもちろん上記で例示した実施例に限定されない。むしろ全ての実施例を包含する範囲を有する。
【００４３】
従って、押出し成型又は連続式引抜成型されたプラスチックからなる縦枠においては、同時押出しまたは同時引抜によって縦枠と一体をなすシーリングエレメントを製造することができるであろう。
【図１】
2007530839.tif 000003
【図２】
2007530839.tif 000004
【図３】
2007530839.tif 000005
【国際調査報告】
2007530839.tif 000006
2007530839.tif 000007
2007530839.tif 000008
2007530839.tif 000009